(57)【特許請求の範囲】
【請求項１】
災害情報である災害に係る緊急情報を検知する緊急情報検知部と、
照度センサが検知した照度としきい値とを比較する照度比較部と、
災害情報の検知を契機に取得した人感センサの検知結果が人を検知したことを示す場合に、当該人を検知したことを示すパターンデータに基づいて照明状態を変動制御し、前記緊急情報検知部が検知した緊急情報の示す災害の種類および前記照度比較部による比較の比較結果に応じて、照明を点灯または点滅させる制御を行う照明状態変動制御部と、
を備える照明システム。
【請求項２】
通信を行う通信部、を備え、
前記災害情報である残留者の検知に係る情報を検知し、取得した人感センサの検知結果が人を検知したことを示す場合に、前記照明状態変動制御部は、前記通信部を介して前記取得した人感センサの検知結果が示す人を検知した位置を含む情報を端末装置に送信する、
請求項１に記載の照明システム。
【請求項３】
前記災害情報である災害に係る緊急情報を受信する緊急情報受信部、を備え、
前記照明状態変動制御部は、前記緊急情報受信部が受信した前記緊急情報が示すパターンデータに基づいて照明状態を変動制御する、
請求項１または請求項２に記載の照明システム。
【請求項４】
前記緊急情報の種類を判別する緊急情報判別部、を備え、
前記照明状態変動制御部は、前記緊急情報判別部が判別した種類の前記緊急情報が示すパターンデータに基づいて照明状態を変動制御する、
請求項３に記載の照明システム。
【請求項５】
照度を検知する照度センサと、
前記照度センサが検知した照度としきい値との大小関係を特定する照度比較部と、
を備え、
前記照明状態変動制御部は、前記照度比較部が特定した当該大小関係に基づいて照明状態を変動制御する、
請求項１から請求項４の何れか一項に記載の照明システム。
【請求項６】
災害情報である災害に係る緊急情報を検知する緊急情報検知部と、
照度センサが検知した照度としきい値とを比較する照度比較部と、
災害情報の検知を契機に取得した人感センサの検知結果が人を検知したことを示す場合に、当該人を検知したことを示すパターンデータに基づいて照明状態を変動制御し、前記緊急情報検知部が検知した緊急情報の示す災害の種類および前記照度比較部による比較の比較結果に応じて、照明を点灯または点滅させる制御を行う照明状態変動制御部と、
を備える照明装置。
【請求項７】
通信を行う通信部、を備え、
前記災害情報である残留者の検知に係る情報を検知し、取得した人感センサの検知結果が人を検知したことを示す場合に、前記照明状態変動制御部は、前記通信部を介して前記取得した人感センサの検知結果が示す人を検知した位置を含む情報を端末装置に送信する、
請求項６に記載の照明装置。
【請求項８】
通信を行う通信部と、
表示を表示する表示部と、
前記通信部を介して人感センサの検知結果が示す人を検知した位置を含む情報を受信し、前記通信部が受信した人感センサの検知結果が示す人を検知した位置を含む情報に基づいて、人感センサの検知結果が示す人を検知した位置を前記表示部に表示させ、前記通信部を介して通常時の照明装置の消費電力を取得し、前記表示部に前記消費電力を表示させる制御部と、
を備える端末装置。
【請求項９】
災害情報である災害に係る緊急情報を検知することと、
照度センサが検知した照度としきい値とを比較することと、
災害情報の検知を契機に取得した人感センサの検知結果が人を検知したことを示す場合に、当該人を検知したことを示すパターンデータに基づいて照明状態を変動制御することと、
前記緊急情報の示す災害の種類および前記比較の比較結果に応じて、照明を点灯または点滅させる制御を行うことと、
を含む照明制御方法。
【請求項１０】
コンピュータに、
災害情報である災害に係る緊急情報を検知することと、
照度センサが検知した照度としきい値とを比較することと、
災害情報の検知を契機に取得した人感センサの検知結果が人を検知したことを示す場合に、当該人を検知したことを示すパターンデータに基づいて照明状態を変動制御することと、
前記緊急情報の示す災害の種類および前記比較の比較結果に応じて、照明を点灯または点滅させる制御を行うことと、
を実行させるプログラム。
【発明の詳細な説明】
【技術分野】
【０００１】
本発明は、照明システム、照明装置、端末装置、照明制御方法及びプログラムに関する。
【背景技術】
【０００２】
地震などの災害の発生を人に報知する様々な装置が存在する。
特許文献１には、関連する技術として、緊急地震速報と連動して照明装置と音響装置とを用いて地震の発生を人に報知する技術が記載されている。
【先行技術文献】
【特許文献】
【０００３】
【特許文献１】特開２０１３−１８１８２５号公報
【発明の概要】
【発明が解決しようとする課題】
【０００４】
ところで、災害発生時には、災害の発生自体を報知することも重要であるが、災害発生後の救助も重要である。そのため、災害の発生を報知すると共に、災害発生後の救助を支援する技術が求められていた。
【０００５】
そこでこの発明は、上記の課題を解決することのできる照明システム、照明装置、端末装置、照明制御方法及びプログラムを提供することを目的としている。
【課題を解決するための手段】
【０００６】
上記目的を達成するために、本発明は、災害情報である災害に係る緊急情報を検知する緊急情報検知部と、照度センサが検知した照度としきい値とを比較する照度比較部と、災害情報の検知を契機に取得した人感センサの検知結果が人を検知したことを示す場合に、当該人を検知したことを示すパターンデータに基づいて照明状態を変動制御し、前記緊急情報検知部が検知した緊急情報の示す災害の種類および前記照度比較部による比較の比較結果に応じて、照明を点灯または点滅させる制御を行う照明状態変動制御部と、を備える照明システムである。
【０００７】
また、本発明は、災害情報である災害に係る緊急情報を検知する緊急情報検知部と、照度センサが検知した照度としきい値とを比較する照度比較部と、災害情報の検知を契機に取得した人感センサの検知結果が人を検知したことを示す場合に、当該人を検知したことを示すパターンデータに基づいて照明状態を変動制御し、前記緊急情報検知部が検知した緊急情報の示す災害の種類および前記照度比較部による比較の比較結果に応じて、照明を点灯または点滅させる制御を行う照明状態変動制御部と、を備える照明装置である。
【０００８】
また、本発明は、通信を行う通信部と、表示を表示する表示部と、前記通信部を介して人感センサの検知結果が示す人を検知した位置を含む情報を受信し、前記通信部が受信した人感センサの検知結果が示す人を検知した位置を含む情報に基づいて、人感センサの検知結果が示す人を検知した位置を前記表示部に表示させ、前記通信部を介して通常時の照明装置の消費電力を取得し、前記表示部に前記消費電力を表示させる制御部と、を備える端末装置である。
【０００９】
また、本発明は、災害情報である災害に係る緊急情報を検知することと、照度センサが検知した照度としきい値とを比較することと、災害情報の検知を契機に取得した人感センサの検知結果が人を検知したことを示す場合に、当該人を検知したことを示すパターンデータに基づいて照明状態を変動制御することと、前記緊急情報の示す災害の種類および前記比較の比較結果に応じて、照明を点灯または点滅させる制御を行うことと、を含む照明制御方法である。
【００１０】
また、本発明は、コンピュータに、災害情報である災害に係る緊急情報を検知することと、照度センサが検知した照度としきい値とを比較することと、災害情報の検知を契機に取得した人感センサの検知結果が人を検知したことを示す場合に、当該人を検知したことを示すパターンデータに基づいて照明状態を変動制御することと、前記緊急情報の示す災害の種類および前記比較の比較結果に応じて、照明を点灯または点滅させる制御を行うことと、を実行させるプログラムである。
【発明の効果】
【００１１】
本発明の照明システムの処理により、災害の発生を報知すると共に、災害発生後の救助を支援することができる。
【図面の簡単な説明】
【００１２】
【図１】本発明の照明システム１の最小構成の一例を示す図である。
【図２】本発明の第一の実施形態による照明システム１の構成の一例を示す図である。
【図３】本発明の第一の実施形態による照明装置１０の一例を示す図である。
【図４】本発明の第一の実施形態によるコントローラボックス２０の一例を示す図である。
【図５】本発明の第一の実施形態による端末装置３０の一例を示す図である。
【図６】通常時の照明装置１０における信号の流れの一例を示す図である。
【図７】通常時の照明装置１０の処理フローの一例を示す図である。
【図８】緊急時の照明装置１０における信号の流れの一例を示す図である。
【図９】緊急時の照明装置１０の処理フローの一例を示す図である。
【図１０】避難時の照明装置１０における信号の流れの一例を示す図である。
【図１１】避難時の照明装置１０の処理フローの一例を示す図である。
【図１２】表示部３０２が人を検知した位置を表示する第１の表示例を示す図である。
【図１３】表示部３０２が人を検知した位置を表示する第２の表示例を示す図である。
【図１４】災害発生場所の照度に応じた照明装置１０の点滅制御の例を示す図である。
【発明を実施するための形態】
【００１３】
図１は、本発明の照明システム１の最小構成の一例を示す図である。
本発明の照明システム１は、図１で示すように、少なくとも照明状態変動制御部１０１、を備える。
照明状態変動制御部１０１は、災害情報の検知を契機に取得した人感センサの検知結果が人を検知したことを示す場合に、当該人を検知したことを示すパターンデータに基づいて照明状態を変動制御する。
【００１４】
＜第一の実施形態＞
図２は、本発明の第一の実施形態による照明システム１の構成の一例を示す図である。
まず、第一の実施形態による照明システム１の構成について説明する。
本発明の第一の実施形態による照明システム１は、図２で示すように、照明装置１０と、コントローラボックス２０と、端末装置３０と、を備える。
【００１５】
照明装置１０は、通常時、緊急時及び避難時の３つの照明状態を切り替える機能を有する。例えば、照明装置１０は、学校の教室や廊下など屋内に設置される。
照明装置１０は、通常時に、屋内を照らす一般的な照明器具として機能する。通常時に、照明装置１０は、コントローラボックス２０から受信する照明を制御するための照明制御信号に応じて照明状態を変動制御する。例えば、照明装置１０は、照明制御信号に応じて照明の照度を制御する。また、照明装置１０は、照明を点灯／消灯させる。
また、照明装置１０は、緊急情報信号を受信すると、緊急時の機能に切り替える。例えば、照明装置１０は、テレビやラジオなどの電波に含まれる緊急地震速報や津波警報を受信すると、照明の色を通常時の白色から赤色に切り替え、屋内にいる人に災害の発生を報知する。
また、照明装置１０は、コントローラボックス２０を介して端末装置３０から残留者の有無を確認する指示を示す信号（残留者の検知に係る情報）を受信すると、避難時の機能に切り替える。例えば、照明装置１０は、自装置が備える人感センサを動作させ、残留者の有無を判定する。そして、照明装置１０は、人感センサが人を検知し残留者がいると判定した場合に、残留者の居場所を報知する照明状態に切り替える。また、照明装置１０は、人感センサが人を検知し残留者がいると判定した場合に、残留者の居場所を報知する信号をコントローラボックス２０を介して端末装置３０に送信する。
【００１６】
コントローラボックス２０は、通常時の照明装置１０の照明を制御する照明制御信号を照明装置１０に送信する。例えば、コントローラボックス２０は、学校の職員室に設置され、通常時には、職員がコントローラボックス２０を操作し、照明制御信号を照明装置１０に送信する。
また、コントローラボックス２０は、端末装置３０から残留者の有無を確認する指示を示す信号を受信した場合に、照明装置１０に残留者の有無を確認する指示を示す信号を送信する。
また、コントローラボックス２０は、照明装置１０から残留者の居場所を報知する信号を受信すると残留者の居場所を報知する信号を端末装置３０に送信する。
また、コントローラボックス２０は、通常時の照明装置１０における消費電力の情報を取得し、管理する。
【００１７】
端末装置３０は、避難時に、残留者の有無を確認する指示を示す信号をコントローラボックス２０に送信する。
また、端末装置３０は、コントローラボックス２０から残留者の居場所を報知する信号を受信した場合、その居場所を表示部に表示する。
【００１８】
図３は、本発明の第一の実施形態による照明装置１０の一例を示す図である。
次に、第一の実施形態による照明システム１が備える照明装置１０の構成について説明する。
第一の実施形態による照明装置１０は、照明状態変動制御部１０１と、照度センサ１０２と、人感センサ１０３と、通信部１０４と、緊急情報受信部１０５と、緊急情報検知部１０６と、ＬＥＤ（Ｌｉｇｈｔ  Ｅｍｉｔｔｉｎｇ  Ｄｉｏｄｅ）照明電源ユニット１０９と、ＬＥＤ照明１１０と、を備える。また、照明状態変動制御部１０１は、照度比較部１０７と、緊急情報判別部１０８と、を備える。
【００１９】
照明状態変動制御部１０１は、災害情報の検知を契機に取得した人感センサの検知結果が人を検知したことを示す場合に、当該人を検知したことを示すパターンデータに基づいて照明状態を変動制御する。
また、照明状態変動制御部１０１は、緊急情報受信部１０５が受信した緊急情報が示すパターンデータに基づいて照明状態を変動制御する。例えば、緊急情報は、テレビやラジオなどの電波に含まれる緊急地震速報や津波警報である。
また、照明状態変動制御部１０１は、緊急情報判別部１０８が判別した種類の緊急情報が示すパターンデータに基づいて照明状態を変動制御する。
また、照明状態変動制御部１０１は、照度比較部１０７が特定した照度センサ１０２の検知した照度としきい値との大小関係に基づいて照明状態を変動制御する。
また、照明状態変動制御部１０１は、緊急情報検知部１０６が緊急情報を検知せず、通信部１０４を介して残留者の有無を確認する指示を示す情報を検知しない場合（災害情報を検知しない場合）に、コントローラボックス２０から受信する照明制御信号に基づいて照明状態を変動制御する。
【００２０】
照度センサ１０２は、照度を検知する。
人感センサ１０３は、人を検知する。
通信部１０４は、照明状態変動制御部１０１の制御により通信を行う。照明状態変動制御部１０１は、通信部１０４を介して災害情報である残留者の有無を確認する指示を示す情報を検知し、取得した人感センサ１０３の検知結果が人を検知したことを示すと判定した場合に、取得した人感センサ１０３の検知結果が示す人を検知した位置を含む情報を通信部１０４を介して端末装置３０に送信する。
緊急情報受信部１０５は、災害情報である災害に係る緊急情報を受信する受信部である。
緊急情報検知部１０６は、緊急情報受信部１０５が受信した緊急情報を検知する。
【００２１】
照度比較部１０７は、照度センサ１０２が検知した照度としきい値との大小関係を特定する。
具体的には、照度比較部１０７は、緊急情報検知部１０６が緊急情報を検知せず、照明状態変動制御部１０１が通信部１０４を介して残留者の有無を確認する指示を示す情報を検知しない場合に、照度センサ１０２が検知した照度と第１のしきい値との大小関係を特定する。この第１のしきい値は、通常時にＬＥＤ照明１１０の周囲の照度が変化する場合にもＬＥＤ照明１１０の照度を所定の照度に保つために使用するしきい値である。
また、照度比較部１０７は、緊急情報検知部１０６が緊急情報を検知した場合に、照度センサ１０２が検知した照度と第２のしきい値との大小関係を特定する。この第２のしきい値は、緊急時にＬＥＤ照明１１０の周囲の照度に応じてＬＥＤ照明１１０の点滅の明るさを変化させるために使用するしきい値である。
また、照度比較部１０７は、照明状態変動制御部１０１が通信部１０４を介して残留者の有無を確認する指示を示す情報を検知した場合に、照度センサ１０２が検知した照度と第３のしきい値との大小関係を特定する。この第３のしきい値は、避難時にＬＥＤ照明１１０の周囲の照度に応じてＬＥＤ照明１１０の点滅の明るさを変化させるために使用するしきい値である。
【００２２】
緊急情報判別部１０８は、緊急情報検知部１０６が検知した緊急情報の種類を判別する。
ＬＥＤ照明電源ユニット１０９は、照明装置１０における各機能部に電力を供給する。また、ＬＥＤ照明電源ユニット１０９は、照明状態変動制御部１０１から受信する制御信号に基づいてＬＥＤ照明１１０の照明状態を制御する。
ＬＥＤ照明１１０は、ＬＥＤ照明電源ユニット１０９からの制御信号に応じて発光する。
【００２３】
図４は、本発明の第一の実施形態によるコントローラボックス２０の一例を示す図である。
次に、第一の実施形態による照明システム１が備えるコントローラボックス２０の構成について説明する。
コントローラボックス２０は、通信部２０１と、照明制御信号生成部２０２と、制御部２０３と、を備える。
通信部２０１は、制御部２０３の制御により通信を行う。通信部２０１は、照明制御信号生成部２０２が生成した照明制御信号を照明装置１０に送信する。また、制御部２０３は、通信部２０１を介して照明装置１０から人を検知した位置を含む情報を受信した場合に、当該人を検知した位置を含む情報を通信部２０１を介して端末装置３０に送信する。
照明制御信号生成部２０２は、照明状態を制御する照明制御信号を生成する。
【００２４】
図５は、本発明の第一の実施形態による端末装置３０の一例を示す図である。
次に、第一の実施形態による照明システム１が備える端末装置３０の構成について説明する。
端末装置３０は、通信部３０１と、表示部３０２と、制御部３０３と、を備える。
通信部３０１は、制御部３０３の制御により通信を行う。制御部３０３は、通信部３０１を介して人感センサ１０３の検知結果が示す人を検知した位置を含む情報を受信する。
表示部３０２は、制御部３０３の制御により表示を表示する。表示部３０２は、制御部３０３が通信部３０１を介して受信した人感センサ１０３の検知結果が示す人を検知した位置を含む情報に基づいて、人感センサ１０３の検知結果が示す人を検知した位置を表示する。
【００２５】
次に、通常時、緊急時及び避難時のそれぞれにおける照明システム１の処理について説明する。
図６は、通常時の照明装置１０における信号の流れの一例を示す図である。
図７は、通常時の照明装置１０の処理フローの一例を示す図である。
まず、通常時の照明システム１の処理について説明する。
なお、通常時とは、照明装置１０が備える緊急情報検知部１０６が緊急情報を検知せず、照明状態変動制御部１０１が通信部１０４を介して残留者の有無を確認する指示を示す情報を検知しない状態のことである。また、通常時には、照明状態変動制御部１０１は、ＬＥＤ照明１１０を屋内を照らす一般的な照明器具として機能するように照明状態を制御する。照明装置１０では、屋内をどの程度の照度にするかを設定されている。
【００２６】
照度センサ１０２は、ＬＥＤ照明１１０の周辺の照度を検知する。照明状態変動制御部１０１が備える照度比較部１０７は、照度センサ１０２が検知した照度を取得する（ステップＳ１）。照度比較部１０７は、取得した照度と設定した照度（第１のしきい値）とを比較する（ステップＳ２）。
【００２７】
照明状態変動制御部１０１は、照度比較部１０７が取得した照度が設定した照度と同一であると判定した場合（ステップＳ２、「＝」）、現在の制御のままステップＳ１の処理に戻る。
照明状態変動制御部１０１は、照度比較部１０７が取得した照度が設定した照度よりも大きいと判定した場合（ステップＳ２、「＞」）、ＬＥＤ照明１１０の照度を下げる制御信号を生成し、ＬＥＤ照明電源ユニット１０９に出力する（ステップＳ３）。そして、ステップＳ１の処理に戻る。
照明状態変動制御部１０１は、照度比較部１０７が取得した照度が設定した照度よりも小さいと判定した場合（ステップＳ２、「＜」）、ＬＥＤ照明１１０の照度を上げる制御信号（図６で示す調光指示信号）を生成し、ＬＥＤ照明電源ユニット１０９に出力する（ステップＳ４）。そして、ステップＳ１の処理に戻る。
【００２８】
また、通常時の照明システム１において、照明状態変動制御部１０１は、人感センサ１０３が人を検知した場合、ＬＥＤ照明１１０の照明状態が設定した照度となる制御信号（図６で示す点灯指示信号）を生成し、ＬＥＤ照明電源ユニット１０９に出力する。また、照明状態変動制御部１０１は、人感センサ１０３が人を検知しない場合、ＬＥＤ照明１１０を消灯させる制御信号（図６で示す消灯指示信号）を生成し、ＬＥＤ照明電源ユニット１０９に出力する。
このように、通常時にＬＥＤ照明１１０の周囲の照度が第１のしきい値よりも大きい場合、すなわち、ＬＥＤ照明１１０の周囲の明るさが設定した明るさよりも明るい場合に、ＬＥＤ照明１１０の照度を下げる、また、通常時に人感センサ１０３がＬＥＤ照明１１０周囲に人を検知しない場合に、ＬＥＤ照明１１０を消灯させることにより、通常時の照明システム１が備える照明装置１０の消費電力を低減することができる。
【００２９】
また、通常時の照明システム１において、照明状態変動制御部１０１は、通信部１０４を介してコントローラボックス２０から通常時の照明装置１０の照明を制御する照明制御信号を受信すると、照明制御信号に基づく制御信号を生成し、ＬＥＤ照明電源ユニット１０９に出力する。例えば、照明を制御する照明制御信号は、照度の設定を変更する情報（図６で示す調光指示信号）、ＬＥＤ照明１１０の点灯を指示する情報（図６で示す点灯指示信号）、ＬＥＤ照明１１０の消灯を指示する情報（図６で示す消灯指示信号）などを含んでおり、照明状態変動制御部１０１は、それらの情報に応じて制御信号を生成し、ＬＥＤ照明電源ユニット１０９に出力する。
こうすることで、通常時の照明システム１が備える照明装置１０を遠隔操作することができる。
【００３０】
図８は、緊急時の照明装置１０における信号の流れの一例を示す図である。
図９は、緊急時の照明装置１０の処理フローの一例を示す図である。
次に、緊急時の照明システム１の処理について説明する。
なお、緊急時とは、照明装置１０が備える緊急情報検知部１０６が通常時に緊急情報を検知した状態のことである。緊急時には、照明状態変動制御部１０１は、屋内にいる人に通常時とは異なる照明により災害の発生を報知するようにＬＥＤ照明１１０の照明状態を制御する。なお、照明装置１０が備える緊急情報検知部１０６が緊急情報を検知する以前は通常時である。また、ここでは、災害として、地震と津波を例に照明システム１の処理について説明する。
【００３１】
緊急情報受信部１０５は、緊急情報を受信可能な受信部である。緊急情報受信部１０５は、通常時に、地震や津波が発生した場合に緊急情報を含む信号を常時受信している。例えば、地震や津波が発生した場合に緊急情報を含む信号は、テレビやラジオなどの電波である。緊急情報受信部１０５は、受信したテレビやラジオなどの電波を緊急情報検知部１０６に出力する。
緊急情報検知部１０６は、通常時に、緊急情報受信部１０５からテレビやラジオなどの電波を入力すると、入力した電波に緊急情報が含まれているか否かを判定する（ステップＳ１１）。
緊急情報検知部１０６は、入力した電波に緊急情報を検知しない場合（ステップＳ１１、ＮＯ）、ステップＳ１１の処理を再度実行する。
緊急情報検知部１０６は、入力した電波に緊急情報を検知した場合（ステップＳ１１、ＹＥＳ）、検知した緊急情報を照明状態変動制御部１０１が備える緊急情報判別部１０８に出力する。
【００３２】
緊急情報判別部１０８は、緊急情報を入力すると入力した緊急情報の種類を判別し、判別した緊急情報が緊急地震速報であるか緊急津波警報であるかを判定する（ステップＳ１２）。
【００３３】
緊急情報判別部１０８が緊急情報の種類を緊急地震速報と判別し、緊急情報が緊急地震速報であると判定した場合（ステップＳ１２、「緊急地震速報」）、照明状態変動制御部１０１は、屋内にいる人に地震の発生を報知する点滅パターン１でＬＥＤ照明１１０を点滅させる制御信号を生成し、ＬＥＤ照明電源ユニット１０９に出力する。
ＬＥＤ照明電源ユニット１０９は、照明状態変動制御部１０１から制御信号を入力すると、点滅パターン１でＬＥＤ照明１１０を点滅させる制御信号をＬＥＤ照明１１０に出力する。
ＬＥＤ照明１１０は、ＬＥＤ照明電源ユニット１０９から制御信号を入力すると、入力した制御信号に応じて点滅パターン１で点滅する（ステップＳ１３）。
照明状態変動制御部１０１は、ＬＥＤ照明１１０の点滅を終了するか否かを判定する（ステップＳ１４）。
例えば、照明状態変動制御部１０１は、通信部１０４を介してコントローラボックス２０からユーザが緊急時の制御状態を解除する解除信号を受信するか否かに基づいて、緊急時の制御状態を解除するか否かを判定する。照明状態変動制御部１０１は、通信部１０４を介してコントローラボックス２０から解除信号を受信せず、ユーザが緊急時の制御状態を解除しないと判定した場合、ＬＥＤ照明１１０の点滅を終了しないと判定する（ステップＳ１４、ＮＯ）。そして、ステップＳ１３の処理に戻る。
また、照明状態変動制御部１０１は、通信部１０４を介してコントローラボックス２０から解除信号を受信し、ユーザが緊急時の制御状態を解除したと判定した場合、ＬＥＤ照明１１０の点滅を終了すると判定する（ステップＳ１４、ＹＥＳ）。
なお、ステップＳ１４の判定は、例えば、点滅パターン１でＬＥＤ照明１１０を点滅させる制御信号をＬＥＤ照明電源ユニット１０９に出力した時点から予め設定した時間が経過したか否かをタイマーを用いて判定し、予め設定した時間、ＬＥＤ照明１１０を点滅させたら終了するものであっても良い。
【００３４】
また、ステップＳ１２の処理において、緊急情報判別部１０８が緊急情報の種類を緊急津波警報と判別し、緊急情報が緊急津波警報であると判定した場合（ステップＳ１２、「緊急津波警報」）、照明状態変動制御部１０１は、屋内にいる人に津波の発生を報知する点滅パターン２でＬＥＤ照明１１０を点滅させる制御信号（図８で示す点灯指示信号）を生成し、ＬＥＤ照明電源ユニット１０９に出力する。
ＬＥＤ照明電源ユニット１０９は、照明状態変動制御部１０１から制御信号を入力すると、点滅パターン２でＬＥＤ照明１１０を点滅させる制御信号をＬＥＤ照明１１０に出力する。
ＬＥＤ照明１１０は、ＬＥＤ照明電源ユニット１０９から制御信号を入力すると、入力した制御信号に応じて点滅パターン２で点滅する（ステップＳ１５）。
照明状態変動制御部１０１は、ＬＥＤ照明１１０の点滅を終了するか否かを判定する（ステップＳ１６）。例えば、照明状態変動制御部１０１は、ユーザが緊急時の制御状態を解除したか否かを判定し、ユーザが緊急時の制御状態を解除しないと判定した場合、ＬＥＤ照明１１０の点滅を終了しないと判定する（ステップＳ１６、ＮＯ）。そして、ステップＳ１５の処理に戻る。
また、照明状態変動制御部１０１は、ユーザが緊急時の制御状態を解除したか否かを判定し、ユーザが緊急時の制御状態を解除したと判定した場合、ＬＥＤ照明１１０の点滅を終了すると判定する（ステップＳ１６、ＹＥＳ）。
【００３５】
ステップＳ１４の処理またはステップＳ１６の処理でＬＥＤ照明１１０の点滅を終了すると判定した場合、照明状態変動制御部１０１は、通常時のＬＥＤ照明１１０の照明を制御する制御信号を生成し、生成した制御信号をＬＥＤ照明電源ユニット１０９に出力する。
ＬＥＤ照明電源ユニット１０９は、照明状態変動制御部１０１から制御信号を入力すると、ＬＥＤ照明１１０を通常の照明として発光させる制御信号をＬＥＤ照明１１０に出力する。
ＬＥＤ照明１１０は、ＬＥＤ照明電源ユニット１０９から制御信号を入力すると、点滅を終了し（ステップＳ１７）、入力した制御信号に応じた通常時の照明としての発光に戻る。
こうすることで、通常時の照明システム１が備える照明装置１０を用いて地震や津波などの災害の発生を屋内にいる人に報知することができる。
【００３６】
図１０は、避難時の照明装置１０における信号の流れの一例を示す図である。
図１１は、避難時の照明装置１０の処理フローの一例を示す図である。
次に、避難時の照明システム１の処理について説明する。
なお、避難時とは、照明状態変動制御部１０１が、災害の発生後に、信号災害情報である残留者の有無を確認する指示を示す情報、例えば、屋内の残留者の検知を指示する信号を通信部１０４を介して受信した状態のことである。避難時には、照明状態変動制御部１０１は、残留者を検知した場合に、屋外にいる人に通常時や緊急時とは異なる屋外から視認可能な照明により残留者の居場所を報知するようにＬＥＤ照明１１０の照明状態を制御する。なお、ここでは、学校を例に照明システム１の処理について説明する。地震や津波などの災害が発生し、学校の教室にいた生徒が屋外の避難場所に避難したものとする。また、職員が携帯している端末装置３０は、人感センサ１０３の検出結果が示す人を検知した位置を含む情報を受信し、人を検知した位置を表示するものとする。
【００３７】
照明状態変動制御部１０１は、通信部１０４を介してコントローラボックス２０から残留者の検知を指示する指示信号を受信したか否かを判定する（ステップＳ２１）。
照明状態変動制御部１０１は、残留者の検知を指示する指示信号を受信しないと判定した場合（ステップＳ２１、ＮＯ）、ステップＳ２１の処理を再度実行する。
この状況で、職員は、生徒が学校内に残っていないか確認するために、端末装置３０を操作して、端末装置３０が備える通信部３０１からコントローラボックス２０を介して照明装置１０に残留者の検知を指示する指示信号を送信する。
コントローラボックス２０が備える制御部２０３は、通信部２０１を介して端末装置３０から残留者の検知を指示する指示信号を受信すると、残留者の検知を指示する指示信号を通信部２０１を介して照明装置１０に送信する。
照明状態変動制御部１０１は、通信部１０４を介してコントローラボックス２０から残留者の検知を指示する指示信号を受信し、残留者の検知を指示する指示信号を受信したと判定した場合（ステップＳ２１、ＹＥＳ）、人感センサ１０３が人を検知したか否かを判定する（ステップＳ２２）。
【００３８】
照明状態変動制御部１０１は、人感センサ１０３から人の検知を示す検知結果を取得し、人感センサ１０３が人を検知したと判定した場合（ステップＳ２２、ＹＥＳ）、人感センサ１０３が人を検知した位置を含む信号（図１０で示す人検知有無情報）を生成する。そして、照明状態変動制御部１０１は、通信部１０４を介して人を検知した位置を含む信号をコントローラボックス２０に送信する。
コントローラボックス２０が備える制御部２０３は、通信部２０１を介して照明装置１０から人を検知した位置を含む信号を受信すると、人を検知した位置を含む信号を通信部２０１を介して端末装置３０に送信する。
端末装置３０が備える制御部３０３が通信部３０１を介してコントローラボックス２０から人を検知した位置を含む信号を受信すると、端末装置３０が備える表示部３０２は、制御部３０３が受信した位置を含む信号が示す人を検知した位置を表示部に表示し、照明装置１０が人を検知した位置を職員に報知する（ステップＳ２３）。
【００３９】
ステップＳ２２の処理で、照明状態変動制御部１０１は、人感センサ１０３から人の検知を示す検知結果を取得し、人感センサ１０３が人を検知したと判定した場合（ステップＳ２２、ＹＥＳ）、人感センサ１０３が人を検知した位置を屋外の人に報知する制御信号（図１０で示す点灯指示信号）を生成し、ＬＥＤ照明電源ユニット１０９に出力する。
ＬＥＤ照明電源ユニット１０９は、照明状態変動制御部１０１から制御信号を入力すると、ＬＥＤ照明１１０を点滅させる制御信号をＬＥＤ照明１１０に出力する。
ＬＥＤ照明１１０は、ＬＥＤ照明電源ユニット１０９から制御信号を入力すると、入力した制御信号に応じて点滅する（ステップＳ２４）。そして、ステップＳ２５の処理を行う。
【００４０】
また、ステップＳ２２の処理で、照明状態変動制御部１０１は、人感センサ１０３から人の検知を示す検知結果を取得せず、人感センサ１０３が人を検知していないと判定した場合（ステップＳ２２、ＮＯ）、人感センサ１０３が人を検知しないことを示す信号（図１０で示す人検知有無情報）を生成する。そして、照明状態変動制御部１０１は、通信部１０４を介して人を検知しないことを示す信号をコントローラボックス２０に送信する。
コントローラボックス２０が備える制御部２０３は、通信部２０１を介して照明装置１０から人を検知しないことを示す信号を受信すると、人を検知しないことを示す信号を端末装置３０に送信する。
端末装置３０が備える制御部３０３が通信部３０１を介してコントローラボックス２０から人を検知しないことを示す信号を受信すると、端末装置３０が備える表示部３０２は、制御部３０３が受信した信号が示す人を検知しないことを表示し、照明装置１０が人を検知しなかったことを職員に報知する。そして、ステップＳ２３とステップＳ２４の処理を行わずステップＳ２５の処理を行う。
【００４１】
照明状態変動制御部１０１は、通信部１０４を介して残留者の検知の解除を指示する指示信号を受信したか否かを判定している（ステップＳ２５）。
照明状態変動制御部１０１が通信部１０４を介して残留者の検知の解除を指示する指示信号を受信していないと判定した場合（ステップＳ２５、ＮＯ）、ステップＳ２２の処理に戻る。
照明状態変動制御部１０１は、通信部１０４を介して残留者の検知の解除を指示する指示信号を受信したと判定した場合（ステップＳ２５、ＹＥＳ）、人感センサ１０３から検知結果の取得、人を検知した位置を含む信号の生成及び通信部１０４を介して行う通信を停止し、残留者の検知を解除する（ステップＳ２６）。
また、照明状態変動制御部１０１は、人感センサ１０３が人を検知した位置を屋外の人に報知する制御信号の生成及びＬＥＤ照明電源ユニット１０９への出力を停止する。
これにより、ＬＥＤ照明電源ユニット１０９は、ＬＥＤ照明１１０を点滅させる制御信号のＬＥＤ照明１１０への出力を停止する。
そして、ＬＥＤ照明１１０は、点滅を停止する（ステップＳ２７）。
こうすることで、職員が生徒を点呼する際に、端末装置３０に照明装置１０の人の検知結果を表示し、災害後の残留者の位置を視覚的に報知することができ、救助を支援することができる。
【００４２】
図１２は、表示部３０２が人を検知した位置を表示する第１の表示例を示す図である。
図１２は、照明装置１０が２人の残留者を検知した場合に、表示部３０２が２人の残留者のそれぞれを星印２と星印３（３ａ〜３ｃ）で示す例である。図１２において、塗りつぶされた星印２と星印３ｃは、残留者の最新の位置を示す。また、白抜きの星印３ａと３ｂは、残留者の過去の位置を示す。照明装置１０が備える人感センサ１０３は、ＬＥＤ照明１１０と共に学校の教室や廊下など屋内に広範囲にわたって設置されており複数存在する。複数の人感センサ１０３のそれぞれには、識別子が付与されている。照明装置１０が備える照明状態変動制御部１０１は、人感センサ１０３が人を検知した場合、人を検知した人感センサ１０３から人を検知したことを示す信号とその人感センサ１０３の識別子を示す信号とを取得する。そして、照明状態変動制御部１０１は、通信部１０４を介して、人感センサ１０３の識別子をコントローラボックス２０に送信する。
【００４３】
コントローラボックス２０が備える制御部２０３は、通信部２０１を介して照明装置１０から人感センサ１０３の識別子を受信すると、受信した人感センサ１０３の識別子を通信部２０１を介して端末装置３０に送信する。端末装置３０が備える制御部３０３は、通信部３０１を介してコントローラボックス２０から人感センサ１０３の識別子を受信する。端末装置３０は、各人感センサ１０３の識別子と各識別子に対応する人感センサ１０３の学校内における設置場所との対応関係を取得しており、制御部３０３は、その対応関係と受信した識別子に基づいて、人感センサ１０３の学校内における設置場所、すなわち、残留者の位置を特定する。そして、表示部３０２は、制御部３０３の制御により残留者の位置を表示する。制御部３０３は、表示部３０２の表示を所定時間毎に更新させる。制御部３０３は、特定した残留者のそれぞれの位置を一定時間表示部３０２を表示させた後、表示を削除させる。これにより、表示部３０２は、残留者の最新の位置を塗りつぶされた星印で表示すると共に、残留者が直前にいた位置を知ることができ、残留者の移動方向を特定することができる。
【００４４】
例えば、表示部３０２の最新の表示が図１２の表示であり、制御部３０３が図１２で示す星印３ａ、３ｂ、３ｃの順番に残留者の位置を特定したとする。この場合、星印３ａ、３ｂ、３ｃのうち星印３ａが最初に表示部３０２から消える。残留者の最新の位置は、塗りつぶされた星印３ｃであり、残留者の過去の位置を表す白抜きの星印３ａが消えたことから、残留者は、星印３ａ、３ｂ、３ｃの順に廊下から玄関に向かって移動していることがわかる。また、例えば、図１２で示す星印２は、白抜きの星印が存在しないため、星印２の残留者は職員室の星印２で示す位置に滞在し移動していないことを意味する。
なお、表示部３０２は、人を検出した人感センサ１０３が複数存在する場合、人を検出したそれぞれの人感センサ１０３のうち互いに所定の距離以内にあるものは同一位置とみなして、残留者を表示する。
このように、職員が生徒を点呼する際に、端末装置３０に照明装置１０の人の検知結果を表示することで、災害後の残留者の位置を視覚的に報知することができ、救助を支援することができる。
【００４５】
図１３は、表示部３０２が人を検知した位置を表示する第２の表示例を示す図である。
図１３は、屋内の人を検知した位置の照明が屋外から視認できない場合に、表示部３０２が人を検知した位置を表示する例である。
図１３において、２階部分のハッチは、２階全体の照明装置１０が点滅していることを示している。屋内の人を検知した位置の照明が屋外から視認できない場合、人を検知した階全体の照明を点滅させる。そして、その階の屋外から視認できる外壁に人の検知位置に対応する位置を屋外に設置された照明装置やライトなどで照射することで、屋外の人に報知する。
このように、職員が生徒を点呼する際に、端末装置３０に照明装置１０の人の検知結果を表示することで、災害後の残留者の位置を視覚的に報知することができ、救助を支援することができる。
【００４６】
図１４は、災害発生場所の照度に応じた照明装置１０の点滅制御の例を示す図である。
図１４には、緊急地震速報、緊急津波警報、残留者検知における照明装置１０の点滅パターンを照度センサ１０２の検知結果に応じて変える例が示されている。
日中や明所では、人は屋内であっても夜間や暗所に比べ比較的精神的に安定した状態であることが多い。そのため、照明状態変動制御部１０１は、夜間や暗所に比べて振幅が大きく立ち上がりと立ち下がり時間が短い制御信号、すなわち、点滅する照明の明暗の差が大きく素早く明暗が切り替わるように照明装置１０を制御する制御信号を生成し、ＬＥＤ照明電源ユニット１０９に出力する。
また、人は夜間や暗所には不安を感じやすいため、照明状態変動制御部１０１は、振幅が小さく立ち上がりと立ち下がり時間が長くさらに照度がゼロにならない制御信号、すなわち、点滅する照明の明暗の差が小さくゆっくりと明暗が切り替わり真っ暗にならないように照明装置１０を制御する制御信号を生成し、ＬＥＤ照明電源ユニット１０９に出力する。
【００４７】
例えば、緊急情報検知部１０６が緊急情報を検知し、緊急情報判別部１０８が緊急情報を緊急地震速報であると特定した場合に、照度比較部１０７は、照度センサ１０２が検知した照度が第２のしきい値よりも大きいと判定したとする。この場合、照明状態変動制御部１０１は、点滅パターン１（点滅間隔Ａが１秒、点滅間隔Ｂが１秒の連続パターン）で、最大照度での点灯（１秒）と消灯（１秒）とを繰り返す点滅をＬＥＤ照明１１０にさせる。
また、緊急情報検知部１０６が緊急情報を検知し、緊急情報判別部１０８が緊急情報を緊急地震速報であると特定した場合に、照度比較部１０７は、照度センサ１０２が検知した照度が第２のしきい値以下であると判定したとする。この場合、照明状態変動制御部１０１は、点滅パターン１（点滅間隔Ａが１秒、点滅間隔Ｂが１秒の連続パターン）で、最大照度での点灯（１秒）と最大照度よりわずかに小さい照度での点灯（１秒）とを繰り返す点滅をＬＥＤ照明１１０にさせる。
【００４８】
また、例えば、緊急情報検知部１０６が緊急情報を検知し、緊急情報判別部１０８が緊急情報を緊急津波警報であると特定した場合に、照度比較部１０７は、照度センサ１０２が検知した照度が第２のしきい値よりも大きいと判定したとする。この場合、照明状態変動制御部１０１は、点滅パターン２（点滅間隔Ａが３秒、点滅間隔Ｂが１秒の連続パターン）で、最大照度での点灯（３秒）と消灯（１秒）とを繰り返す点滅をＬＥＤ照明１１０にさせる。
また、緊急情報検知部１０６が緊急情報を検知し、緊急情報判別部１０８が緊急情報を緊急津波警報であると特定した場合に、照度比較部１０７は、照度センサ１０２が検知した照度が第２のしきい値以下であると判定したとする。この場合、照明状態変動制御部１０１は、点滅パターン２（点滅間隔Ａが３秒、点滅間隔Ｂが１秒の連続パターン）で、最大照度での点灯（３秒）と最大照度よりわずかに小さい照度での点灯（１秒）とを繰り返す点滅をＬＥＤ照明１１０にさせる。
【００４９】
また、例えば、照明状態変動制御部１０１が通信部１０４を介して残留者の有無を確認する指示を示す情報を検知した場合に、照度比較部１０７は、照度センサ１０２が検知した照度が第３のしきい値よりも大きいと判定したとする。この場合、照明状態変動制御部１０１は、点滅パターン３（点滅間隔Ａが１秒、点滅間隔Ｂが１秒、点滅間隔Ｃが３秒の連続パターン）で、最大照度での点灯（１秒）と消灯（１秒）とを３回連続した後、消灯（３秒）とを繰り返す点滅をＬＥＤ照明１１０にさせる。
また、照明状態変動制御部１０１が通信部１０４を介して残留者の有無を確認する指示を示す情報を検知した場合に、照度比較部１０７は、照度センサ１０２が検知した照度が第３のしきい値以下であると判定したとする。この場合、照明状態変動制御部１０１は、点滅パターン３（点滅間隔Ａが１秒、点滅間隔Ｂが１秒、点滅間隔Ｃが３秒の連続パターン）で、最大照度での点灯（１秒）と最大照度よりわずかに小さい照度での点灯（１秒）とを３回連続した後、最大照度よりわずかに小さい照度での点灯（３秒）とを繰り返す点滅をＬＥＤ照明１１０にさせる。
こうすることで、照明状態変動制御部１０１は、災害という精神的に不安定になりやすい状況において、人の精神状況と視認性とを両立させる照明装置１０の制御を実現することができる。
【００５０】
以上、本発明の第一の実施形態による照明システム１について説明した。上述の照明システム１において、照明状態変動制御部１０１は、災害情報の検知を契機に取得した人感センサの検知結果が人を検知したことを示す場合に、当該人を検知したことを示すパターンデータに基づいて照明状態を変動制御する。
こうすることで、災害の発生を報知すると共に、災害発生後の救助を支援することができる。
なお、端末装置３０が通信部３０１を介してコントローラボックス２０から通常時の照明装置１０の消費電力の情報を取得した場合に、端末装置３０が備える表示部３０２が取得した消費電力を表示するものであっても良い。また、コントローラボックス２０が表示部を備え、通常時の照明装置１０の消費電力を表示するものであっても良い。
このように、表示部が通常時の照明装置１０の消費電力を表示することで、職員は現在の消費電力を確認しつつコントローラボックス２０から通常時の照明装置１０の照明を制御することができる。
【００５１】
なお、本発明における記憶部やメモリは、適切な情報の送受信が行われる範囲においてどこに備えられていても良い。また、記憶部やメモリは、適切な情報の送受信が行われる範囲において複数存在しデータを分散して記憶していても良い。
【００５２】
なお本発明の実施形態における処理フローは、適切な処理が行われる範囲において、処理の順番が入れ替わってもよい。例えば、ステップＳ２３の残留者の検知位置を報知するための処理とＬＥＤ照明１１０を点滅させるための処理は順番が入れ替わっても良い。また、実施形態におけるこれらの処理は、並行に行われても良い。
【００５３】
なお本発明の実施形態について説明したが、上述の照明装置１０、コントローラボックス２０及び端末装置３０は内部に、コンピュータシステムを有している。そして、上述した処理の過程は、プログラムの形式でコンピュータ読み取り可能な記憶部に記憶されており、このプログラムをコンピュータが読み出して実行することによって、上記処理が行われる。ここでコンピュータ読み取り可能な記憶部とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００５４】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００５５】
本発明のいくつかの実施形態を説明したが、これらの実施形態は、例として提示したものであり、発明の範囲を限定するものではない。また、発明の要旨を逸脱しない範囲で、種々の省略、置き換え、変更を行うことができるものである。
【００５６】
なお、上記の実施形態の一部又は全部は、以下の付記の用にも記載されうるが、以下には限られない。
【００５７】
（付記１）災害情報の検知を契機に取得した人感センサの検知結果が人を検知したことを示す場合に、当該人を検知したことを示すパターンデータに基づいて照明状態を変動制御する照明状態変動制御部、
を備える照明システム。
【００５８】
（付記２）通信を行う通信部、を備え、
前記災害情報である残留者の検知に係る情報を検知し、取得した人感センサの検知結果が人を検知したことを示す場合に、前記照明状態変動制御部は、前記通信部を介して前記取得した人感センサの検知結果が示す人を検知した位置を含む情報を端末装置に送信する、
付記１に記載の照明システム。
【００５９】
（付記３）前記災害情報である災害に係る緊急情報を受信する緊急情報受信部、を備え、
前記照明状態変動制御部は、前記緊急情報受信部が受信した前記緊急情報が示すパターンデータに基づいて照明状態を変動制御する、
付記１または付記２に記載の照明システム。
【００６０】
（付記４）前記緊急情報の種類を判別する緊急情報判別部、を備え、
前記照明状態変動制御部は、前記緊急情報判別部が判別した種類の前記緊急情報が示すパターンデータに基づいて照明状態を変動制御する、
付記３に記載の照明システム。
【００６１】
（付記５）照度を検知する照度センサと、
前記照度センサが検知した照度としきい値との大小関係を特定する照度比較部と、
を備え、
前記照明状態変動制御部は、前記照度比較部が特定した当該大小関係に基づいて照明状態を変動制御する、
付記１から付記４の何れか一に記載の照明システム。
【００６２】
（付記６）前記災害情報を検知しない場合に、前記照度比較部は、前記照度センサが検知した照度と第１のしきい値との大小関係を特定する、
付記５に記載の照明システム。
【００６３】
（付記７）前記災害情報である災害に係る緊急情報を検知した場合に、前記照度比較部は、前記照度センサが検知した照度と第２のしきい値との大小関係を特定する、
付記５または付記６に記載の照明システム。
【００６４】
（付記８）前記災害情報である残留者の検知に係る情報を検知した場合に、前記照度比較部は、前記照度センサが検知した照度と第３のしきい値との大小関係を特定する、
付記５から付記７の何れか一に記載の照明システム。
【００６５】
（付記９）前記災害情報を検知しない場合に、前記照明状態変動制御部は、前記通信部を介して照明状態を制御する照明制御信号を受信すると、前記照明制御信号に基づいて照明状態を変動制御する、
付記１から付記８の何れか一に記載の照明システム。
【００６６】
（付記１０）災害情報の検知を契機に取得した人感センサの検知結果が人を検知したことを示す場合に、当該人を検知したことを示すパターンデータに基づいて照明状態を変動制御する照明状態変動制御部、
を備える照明装置。
【００６７】
（付記１１）通信を行う通信部、を備え、
前記災害情報である残留者の検知に係る情報を検知し、取得した人感センサの検知結果が人を検知したことを示す場合に、前記照明状態変動制御部は、前記通信部を介して前記取得した人感センサの検知結果が示す人を検知した位置を含む情報を端末装置に送信する、
付記１０に記載の照明装置。
【００６８】
（付記１２）通信を行う通信部と、
前記通信部を介して人感センサによる人の検知を指示する指示信号を照明装置に送信する制御部と、
を備える端末装置。
【００６９】
（付記１３）表示を表示する表示部、を備え、
前記制御部は、
前記通信部を介して人感センサの検知結果が示す人を検知した位置を含む情報を受信し、
前記通信部が受信した人感センサの検知結果が示す人を検知した位置を含む情報に基づいて、人感センサの検知結果が示す人を検知した位置を前記表示部に表示させる、
付記１２に記載の端末装置。
【００７０】
（付記１４）前記制御部は、
前記通信部を介して通常時の照明装置の消費電力を取得し、
前記表示部に前記消費電力を表示させる、
付記１３に記載の端末装置。
【００７１】
（付記１５）通信を行う通信部と、
照明状態を制御する照明制御信号を生成する照明制御信号生成部と、
前記通信部を介して前記照明制御信号生成部が生成した照明制御信号を照明装置に送信する制御部と、
を備えるコントローラボックス。
【００７２】
（付記１６）前記制御部は、前記通信部を介して人感センサの検知結果が示す人を検知した位置を含む情報を受信した場合に、当該人を検知した位置を含む情報を端末装置に送信する、
付記１５に記載のコントローラボックス。
【００７３】
（付記１７）前記制御部は、前記通信部を介して通常時の前記照明装置の消費電力を端末装置に送信する、
付記１５または付記１６に記載のコントローラボックス。
【００７４】
（付記１８）表示を表示する表示部、を備え、
前記制御部は、通常時の前記照明装置の消費電力を前記表示部に表示させる、
付記１５から付記１７の何れか一に記載のコントローラボックス。
【００７５】
（付記１９）災害情報の検知を契機に取得した人感センサの検知結果が人を検知したことを示す場合に、当該人を検知したことを示すパターンデータに基づいて照明状態を変動制御する、
照明制御方法。
【００７６】
（付記２０）コンピュータを、
災害情報の検知を契機に取得した人感センサの検知結果が人を検知したことを示す場合に、当該人を検知したことを示すパターンデータに基づいて照明状態を変動制御する照明状態変動制御部、
として機能させるプログラム。
【符号の説明】
【００７７】
１・・・照明システム
１０・・・照明装置
２０・・・コントローラボックス
３０・・・端末装置
１０１・・・照明状態変動制御部
１０２・・・照度センサ
１０３・・・人感センサ
１０４、２０１、３０１・・・通信部
１０５・・・緊急情報受信部
１０６・・・緊急情報検知部
１０７・・・照度比較部
１０８・・・緊急情報判別部
１０９・・・ＬＥＤ照明電源ユニット
１１０・・・ＬＥＤ照明
２０２・・・照明制御信号生成部
２０３、３０３・・・制御部
３０２・・・表示部
【図１】
0006485852.tif 000002
【図２】
0006485852.tif 000003
【図３】
0006485852.tif 000004
【図４】
0006485852.tif 000005
【図５】
0006485852.tif 000006
【図６】
0006485852.tif 000007
【図７】
0006485852.tif 000008
【図８】
0006485852.tif 000009
【図９】
0006485852.tif 000010
【図１０】
0006485852.tif 000011
【図１１】
0006485852.tif 000012
【図１２】
0006485852.tif 000013
【図１３】
0006485852.tif 000014
【図１４】
0006485852.tif 000015